(57)【特許請求の範囲】
【請求項１】
ベッドフレームの側部に設けられるベッド用側柵装置において、
下横部材と、
この下横部材の長手方向に所定間隔で下部支軸によって下端部が回動可能に連結された複数の縦部材と、
この縦部材の上端部が上部支軸によって回動可能に連結された上横部材と、
上記縦部材をほぼ垂直に起立させた状態で倒伏不能に保持するとともに、その保持状態を解除することで上記縦部材を上端部が上記取付け部材の側面の開口から突出する方向に倒伏可能とするストッパ手段と
を具備し、
上記下横部材には、上記下部支軸を回動可能に支持する支持孔が形成されたブッシュが設けられ、このブッシュの支持孔は上記下部支軸の回転に所定の抵抗を与える形状に形成されていることを特徴とするベッド用側柵装置。
【請求項２】
上記ブッシュの支持孔は、一端側の内径寸法が上記下部支軸の外形寸法とほぼ同径の同径部で、他端側の内径寸法がわずかに小径な小径部であることを特徴とする請求項１記載のベッド用側柵装置。
【発明の詳細な説明】
【０００１】
【発明の属する技術分野】
この発明はベッドフレームの側部に倒伏可能に設けられる側柵装置に関する。
【０００２】
【従来の技術】
ベッド装置には、マットレス上に仰臥した利用者が就寝中に落下したり、利用者に掛けた布団がずれ落ちるのを防止するなどの目的のために、ベッドフレームの側部に側柵を設けるようにしたものがある。この側柵は、利用者がマットレスに乗り降りしたり、診察や介護を受けるときに便利なように、倒伏可能な構成としたものが採用されることが多い。
【０００３】
倒伏可能な側柵として、本件出願人は実公平７−４８１２２号公報に示されるベッド装置に用いられた側柵を提案している。この公報に示された側柵は、上横部材、下横部材及びこれら横部材に下端部と上端部とをそれぞれ回動可能に連結した複数の縦部材とから構成されている。
【０００４】
つまり、上記縦部材の下端部にはエルボ部材の一端部が取付けられ、このエルボ部材の他端部は支軸によって上記下横部材の側面に回動可能に連結されている。上記縦部材の上端部は、上記上横部材の下面に設けられた取付け部材に支軸によって回動可能に連結されている。
【０００５】
上記取付け部材は下面及び一側面が開口した袋状に形成されていて、上記縦部材は上記取付け部材の内部に挿入されて支軸により、上記取付け部材に回動可能に連結されている。
【０００６】
さらに、側柵には縦部材を倒伏した状態で回動不能に保持するストッパ機構が設けられている。このストッパ機構は、複数の縦部材のうちの１本を起立させた状態で回動不能に保持したり、その保持状態を解除できるようになっており、それによって、側柵を使用時には起立させ、不使用時には倒伏させることができるようになっている。
【０００７】
起立状態にある側柵を倒伏させる場合、操作者はストッパ機構を操作して縦部材の保持状態を解除したならば、このストッパ機構を片方の手で持ちながら縦部材を緩やかに倒伏方向へ回動させるということが行われる。
【０００８】
【発明が解決しようとする課題】
操作者が側柵を倒伏させる場合、ストッパ機構を保持しながら縦部材を倒伏させれば、この縦部材が急激に倒伏するのを防止することができる。
【０００９】
しかしながら、操作者がストッパ機構を操作して縦部材の保持状態を解除した後、ストッパ機構から手を離してしまうことがあり、そのような場合には縦部材が急激に倒伏し、それに連動して上横部材も急激に降下してくる。
【００１０】
そのため、操作者手や足をベッドフレームと倒伏する縦部材や上横部材との間に挟んでしまうという虞があったり、急激な倒伏によって縦部材と上横部材との衝突音が発生するなどのことがあった。
【００１１】
この発明は、ストッパ機構を操作して縦部材の保持状態を解除した後、ストッパ機構から手を離すようなことがあっても、縦部材が急激に倒伏することがないようにしたベッド用側柵装置を提供することにある。
【００１２】
【課題を解決するための手段】
請求項１の発明は、ベッドフレームの側部に設けられるベッド用側柵装置において、
下横部材と、
この下横部材の長手方向に所定間隔で下部支軸によって下端部が回動可能に連結された複数の縦部材と、
この縦部材の上端部が上部支軸によって回動可能に連結された上横部材と、
上記縦部材をほぼ垂直に起立させた状態で倒伏不能に保持するとともに、その保持状態を解除することで上記縦部材を上端部が上記取付け部材の側面の開口殻突出する方向に倒伏可能とするストッパ手段と
を具備し、
上記下横部材には、上記下部支軸を回動可能に支持する支持孔が形成されたブッシュが設けられ、このブッシュの支持孔は上記下部支軸の回転に所定の抵抗を与える形状に形成されていることを特徴とするベッド用側柵装置にある。
【００１３】
請求項２の発明は、上記ブッシュの支持孔は、一端側の内径寸法が上記下部支軸の外形寸法とほぼ同径の同径部で、他端側の内径寸法がわずかに小径な小径部であることを特徴とする請求項１記載のベッド用側柵装置にある。
【００１４】
請求項１と請求項２の発明によれば、ブッシュに形成された支持孔を、下部支軸の回転に所定の抵抗を与える形状にしたから、ストッパ機構によって縦部材の保持状態を解除した状態でストッパ機構から手を離しても、下部支軸の回転抵抗によって縦部材が急激に倒伏するのを防止できる。
【００１５】
【発明の実施の形態】
以下、図面を参照しながらこの発明の一実施の形態を説明する。
【００１６】
図１はベッド１を示し、このベッド１は下面四隅部にキャスタ２が設けられ、上面にはマットレス３が載置されたベッドフレーム４を備えている。このベッドフレーム４の長手方向一端にはヘッドボード５が設けられ、他端にはフットボード６が設けられている。
【００１７】
上記ベッドフレーム３の一側または両側にはこの発明の側柵装置１１が設けられている。この側柵装置１１は上記ベッドフレーム４の側部材４ａ上面に取付けられる下横部材１２を有する。つまり、図２に示すように、下横部材１２は断面形状が蒲鉾型のパイプ材からなり、その下面には複数の連結短管１３（１つのみ図示）が所定間隔で設けられている。
【００１８】
上記ベッドフレーム３の側部材４ａには、その上面と下面とに上下端を開口させた複数の支持短管１４（図２に１つの示す）が設けられ、この支持短管１４には上記下横部材１２の下面に設けられた上記連結短管１３が着脱可能に挿入される。それによって、下横部材１２は側部材４ａに着脱可能に取付けられている。
【００１９】
上記下横部材１２には複数の縦部材１６の下端部が回動可能に連結されている。つまり、縦部材１６の下端には連結部材１７が取付け固定されている。この連結部材１７の側面には下部支軸１８の基端部が埋設固定されている。この下部支軸１８は、上記下横部材１２の両側面に形成された一対の挿通孔１９にそれぞれブッシュ２０を介して挿入され、挿通孔１９から突出した先端のねじ部（図示せず）に袋ナット２１を螺合することで、抜出不能かつ回動可能に取付けられている。
【００２０】
上記ブッシュ２０は、図２及び図３（ａ）〜（ｃ）に示すように上記側部材４ａの側面に接合する鍔部２２と、上記挿通孔１９に挿入されるボス部２３とが合成樹脂によって一体成形されてなる。上記ボス部２３の外形状は、図３（ａ）に示すように円形部分の一部に径方向外方に突出した袋部２３ａが設けられた非円形状をなしていて、上記挿通孔１９も同様の形状に形成されている。それによって、ボス部２３を挿通孔１９に嵌合させたブッシュ２０は下横部材１２に回動不能に保持されることになる。
【００２１】
上記ボス部２３には上記下部支軸１８が挿通支持される支持孔２４が形成されている。この支持孔２４は、図３（ｃ）に示すように鍔部２２側の一端部が下部支軸１８の外形寸法とほぼ同径の同径部２４ａに形成され、他端部がわずかに小径となる小径部２４ｂに形成されている。
【００２２】
支持孔２４に同径部２４ａと小径部２４ｂとを形成するには、支持孔２４をテーパ形状としたり、支持孔２４に内径寸法の異なる２つの部分を形成すればよい。この実施の形態ではテーパ形状としている。
【００２３】
上記支持孔２４の小径部２４ｂ側の上記ボス部２３の周壁には、このボス部２３の端面に開放したスリット２６が形成されていて、このスリット２６の部分の外側がボス部２３と一体成形された上記袋部２３ａによって覆われている。
【００２４】
それによって、上記ブッシュ２０の支持孔２４に挿通支持された下部支軸１８は、上記支持孔２４の下部支軸１８の外形寸法よりも小径な小径部２４ｂの内周面に圧接するから、その圧接力によって下部支軸１８の回転に抵抗が発生するようになっている。
【００２５】
下部支軸１８の回転に抵抗が発生すると、下横部材１２に下端が回動可能に連結された縦部材１６を起立状態から倒伏させるときに、急激に倒伏するのを阻止することができる。
【００２６】
なお、支持孔２４に下部支軸１８を挿入すると、ボス部２３の周壁はスリット２６によって拡径方向に弾性変形するから、支持孔２４の一部が下部支軸１８よりも小径であっても、この下部支軸１８を支持孔２４に弾性的に圧接した状態で挿入できるようになっている。
【００２７】
各縦部材１６の上端部は上横部材３１に回動可能に連結されている。上横部材３１は、図５（ｂ）に示すように引き抜き成形されて上面が円弧面に形成された部材３１ａの下面を除く部分をカバー３１ｂで被覆して形成されていて、この部材３１ａの下面には断面形状がＴ字状の係合溝３２が全長にわたって形成されている。
【００２８】
上記上横部材３１の下面には、図１に示すように長手方向に所定間隔で複数の取付け部材３３が取付け固定されている。この実施の形態では、上横部材３１の一端部を除く部分に５つの取付け部材３３が設けられ、一端部にはストッパ機構３４の筐体３５が取付け固定されている。この筐体３５には、図５（ａ）に示すように取付け部材３３と同じ形状の取付け部材３３ａが一体形成されている。
【００２９】
上記取付け部材３３及び筐体３５の上面には、図４乃至図６に示すように上記上横部材３１の係合溝３２にスライド可能に係合する断面形状がＴ字状の凸状部３６が形成され、この凸状部３６を係合溝３２に係合させている。そして、取付け部材３３及筐体３４ａは、所定の位置で上横部材３１にねじ３７によって固定されている。
【００３０】
上記各取付け部材３３，３３ａは下面及び側面が開放した袋状に形成されている。縦部材１６の上端部は上記取付け部材３３，３３ａ内に挿入され、上部支軸３０によって回動可能に連結されている。
【００３１】
各縦部材１６の上端部には保護部材３５が設けられている。この保護部材３５は図８（ａ）〜（ｃ）に示すように、取付け部３７と保護部３８とが合成樹脂によって一体成形されている。つまり、取付け部３７は水平部３７ａと、連結孔３７ｂが穿設された垂直部３７ｃとによって断面形状がＴ字状に形成され、保護部３８は上記水平部３７ａの先端に一端を連結した円弧状に形成されていている。この保護部３８の幅寸法は取付け部材３３，３３ａの側面開口の幅寸法よりもわずかに小さく設定されている。
【００３２】
そして、上記取付け部３７は垂直部３７ｃを縦部材１６の上端開口から内部に挿入し、垂直部３７ｃの連結孔３７ｂに縦部材１６と上横部材３１とを連結した上部支軸３５を挿入することで、縦部材１６に固定されている。
【００３３】
保護部材３５が縦部材１６に取付け固定された状態において、縦部材１６をほぼ垂直に起立させると、円弧状の保護部３８は図４に示すように取付け部材３３，３３ａの側面の開口部分に位置し、この開口の大部分を閉塞する。
【００３４】
上記ストッパ機構３４は、図５（ａ）に示すように上記筐体３４ａに支軸４１によって回動可能に設けられたハンドル４２を有する。このハンドル４２はスプリング４３によって矢印方向に付勢されているとともに、先端部には係合凹部４４が形成されている。
【００３５】
上記筐体３５と一体形成された取付け部材３２ａに上端部が枢着された縦部材１６には、突起４５を有するストッパ部材４６が取付けられている。縦部材１６をほぼ垂直に起立させた状態において、上記突起４５は上記ハンドル４２の係合凹部４４に弾性的に係合する。それによって、縦部材１６は起立状態で保持される。
【００３６】
上記ハンドル４２をスプリング４３の付勢力に抗して回動させると、係合凹部４４が突起４５から外れるから、縦部材１６の保持状態が解除されて倒伏方向へ回動させることができる。
【００３７】
このような構成の側柵装置１１において、図１に実線で示すように縦部材１６を起立させた状態から倒伏させる場合、操作者はストッパ機構３４のハンドル４２を握り、このハンドル４２をスプリング４３の付勢力に抗して回動させる。
【００３８】
それによって、ハンドル４２の係合凹部４４が縦部材１６に設けられたストッパ部材４６の突起４５から外れるから、ストッパ機構３４によって起立状態に保持されていた縦部材１６が倒伏可能な状態となる。
【００３９】
したがって、その状態から上横部材３１を図１に矢印Ａで示す横方向に移動させれば、上横部材３１に上端部が連結された複数の縦部材１６を下横部材１２に下部支軸１８によって枢着された下端部を支点として矢印Ｂ方向に回動させ、側柵装置１１を図１に鎖線で示すように倒伏させることができる。
【００４０】
縦部材１６を倒伏させる際、操作者あるいはその操作を手伝っている人が上横部材３１の取付け部材３３，３３ａの近傍を把持することがある。その場合、不用意に手指を取付け部材３３，３３ａの側面開口から内部へ差し込み、縦部材１６の上端部と取付け部材３３，３３ａの内面とで挟んでしまう虞がある。
【００４１】
しかしながら、上記取付け部材３３，３３ａの側面開口のほとんどの部分は、縦部材１６の上端部に設けられた保護部材３５の保護部３８によって閉塞されている。そのため、操作者やその操作を手伝っている人が手指を取付け部材３３，３３ａの側面開口から内部に差し込むのを防止できるから、縦部材１６の上端部と取付け部材３３，３３ａの内面とで手指を挟むのを防止することができる。
【００４２】
上記保護部３８は縦部材１６の側方に突出しているため、縦部材１６の上端部が取付け部材３３，３３ａの内部で回動するのを邪魔する虞がある。しかしながら、上記保護部３８は円弧状に形成されているため、縦部材１６を倒伏方向に回動させても、図４に鎖線で示すように取付け部材３３，３３ａの内部で、この内部にぶつかることなく円滑に回動する。
【００４３】
上記縦部材１６の下端部に設けられた下部支軸１８は、ベッドフレーム３の側部材４ａに一対のブッシュ２０によって回動可能に支持されている。ブッシュ２０に形成された支持孔２４は小径部２４ｂを有するから、下部支軸１８の回転に抵抗を与える。
【００４４】
そのため、縦部材１６を倒伏させる際、操作者がストッパ機構３４を操作して１本の縦部材１６の保持状態を解除した後、このストッパ機構３４から手を離すようなことがあっても、下部支軸１８とブッシュ２０の支持孔２４との摩擦抵抗によって各縦部材１６が急激に倒伏するのを防止できる。
【００４５】
したがって、倒伏する縦部材１６と上横部材３１との間やこれら部材１６，３１とベッドフレーム３の側部材４ａとの間などに不用意に手足を入れてしまっても、強く挟むのを防止することができる。
【００４６】
しかも、縦部材１６が急激に倒伏することがないから、その倒伏操作を容易に行うことができるばかりか、急激な倒伏によって縦部材１６と上横部材３１が強くぶつかって騒音を発生するということもない。
【００４７】
【発明の効果】
以上のようにこの発明によれば、下横部材に支持孔を有するブッシュを設け、このブッシュの支持孔に下部支軸によって縦部材の下端部を回動可能に支持する場合、上記支持孔を上記下部支軸の回転に抵抗を与える形状にした。
【００４８】
そのため、縦部材を倒伏させる場合、操作者がストッパ機構によって縦部材の保持状態を解除した後、このストッパ機構から手を離すようなことがあっても、縦部材が急激に倒伏するようなことがないから、倒伏する縦部材に手足を強く挟んだり、縦部材がベッドフレームにぶつかって騒音を発生するなどのことを防止することができる。
【図面の簡単な説明】
【図１】この発明の一実施の形態を示す側柵装置が設けられたベッドの側面図。
【図２】同じく縦部材の下端部とベッドフレームの側部材との連結構造の断面図。
【図３】（ａ）はブッシュの平面図、（ｂ）は側面図、（ｃ）は図３（ａ）のＸ−Ｘ線に沿う断面図。
【図４】図１のＤ部の拡大断面図。
【図５】（ａ）は図１のＥ部の拡大断面図、（ｂ）は図５（ａ）のＹ−Ｙ線に沿う断面図。
【図６】連結部材の斜視図。
【図７】保護部材の斜視図。
【図８】（ａ）は保護部材の平面図、（ｂ）は正面図、（ｃ）は側面図。
【符号の説明】
３…ベッドフレーム
１２…下横部材
１６…縦部材
１８…下部支軸
２０…ブッシュ
２４…支持孔
３１…上横部材
３３，３３ａ…取付け部材
３４…ストッパ機構（ストッパ手段）
３５…保護部材
３７…取付け部
３８…保護部
【図１】
0003642714.tif 000002
【図２】
0003642714.tif 000003
【図３】
0003642714.tif 000004
【図４】
0003642714.tif 000005
【図５】
0003642714.tif 000006
【図６】
0003642714.tif 000007
【図７】
0003642714.tif 000008
【図８】
0003642714.tif 000009